(57)【要約】【課題】可変整合部を備えた無線回路において、使用周波数帯が切り替わったときに通信が切断されることを抑制する。【解決手段】無線回路（１）において、制御部（５０）は、アンテナ（１０）の使用周波数帯を切り替えるとき、切替前にインピーダンス可変整合部（２０）によって調整された第一の設定値に応じて、切替後におけるインピーダンス可変整合部（２０）の設定値を設定するようになっている。【選択図】図１
2014064148.tif 000002
【特許請求の範囲】
【請求項１】
アンテナに接続される無線回路であって、
設定値に応じて該アンテナと該無線回路との間のインピーダンスを変化させる可変整合部と、
通信状態に応じて該可変整合部の設定値を調整する整合調整手段と、
該無線回路の使用周波数帯を切り替える切替手段と、を備えており、
該切替手段は、該無線回路の使用周波数帯を切り替えるとき、切替前に該整合調整手段によって調整された該可変整合部の第一の設定値に応じて、切替後における該可変整合部の設定値を設定するようになっていることを特徴とする無線回路。
【請求項２】
上記切替手段は、テーブル情報を予め記憶しており、上記無線回路の使用周波数帯を第一の周波数帯から第二の周波数帯に切り替えるとき、該テーブル情報を参照して、上記第一の設定値から第二の設定値を取得し、上記可変整合部の設定値を、取得した該第二の設定値に設定するようになっており、
該テーブル情報は、上記第一の周波数帯と、上記第二の周波数帯と、上記第一の設定値とが与えられたときに、該第二の設定値が定まるように構成されていることを特徴とする請求項１に記載の無線回路。
【請求項３】
上記整合調整手段は、上記無線回路の使用周波数帯毎に予め定められた複数の候補値の何れかに、上記可変整合部の設定値を調整するようになっていることを特徴とする請求項１または２に記載の無線回路。
【請求項４】
送信信号の品質を検出する品質検出手段を備え、
上記整合調整手段は、該品質検出手段の検出結果に応じて上記可変整合部の設定値を調整するようになっていることを特徴とする請求項１〜３の何れか一項に記載の無線回路。
【請求項５】
設定値に応じてアンテナと無線回路との間のインピーダンスを変化させる可変整合部を備えた該無線回路の制御方法であって、
通信状態に応じて該可変整合部の設定値を調整する整合調整工程と、
該無線回路の使用周波数帯を切り替える切替工程と、を備えており、
該切替工程では、切替前に該整合調整工程において調整された該可変整合部の第一の設定値に応じて、切替後における該可変整合部の設定値を設定するようになっていることを特徴とする無線回路の制御方法。
【発明の詳細な説明】
【技術分野】
【０００１】
本発明は、無線回路および無線回路の制御方法に関する。
【背景技術】
【０００２】
近年、通信装置において、可変整合回路を用いる技術が開発されている。特許文献１には、マルチバンド・マルチモード通信装置で用いられる可変整合ネットワークであって、所与の信号に関連する１つ以上の動作状況に基づいて複数の所定のグロスパラメータから第１パラメータ集合を選択するように構成されたグロスパラメータ選択器と、前記動作状況のうちの１つ以上に基づく最適化アルゴリズムを用いて第２パラメータ集合を取得するように構成された整合最適化器と、前記第１パラメータ集合と前記第２パラメータ集合とに基づいて総合的な整合パラメータを取得するように構成されたパラメータ合成器と、動的な微調整インピーダンス整合を提供するように、前記総合的な整合パラメータに基づいて構成可能な個別整合回路とを備える可変整合ネットワークが記載されている。
【先行技術文献】
【特許文献】
【０００３】
【特許文献１】特表２０１２−５０７１９０号公報（２０１２年３月２２日公開）
【発明の概要】
【発明が解決しようとする課題】
【０００４】
しかしながら、上述のような従来技術では、使用周波数帯が切り替わったとき（例えば、ハンドオーバ時など）、可変整合の再調整の際に通信が切断されるおそれがある。なぜなら、特許文献１の技術では、可変整合の再調整時には、まず、動作状況に基づいて第１パラメータ集合を選択した後、最適化アルゴリズムを用いて第２パラメータ集合を取得する。このとき、第２パラメータ集合によって調整される前の第１パラメータ集合と、第２パラメータ集合によって調整された後の第１パラメータ集合（最適インピーダンス）とが乖離していると、最悪の場合、第２パラメータ集合によって調整される前の通信環境が劣悪となり、当該調整前に通信が切断されてしまうことがある。
【０００５】
すなわち、図７に示すように、バンドＡからバンドＢに切り替えられ、可変整合を再調整する場合、従来技術では、バンドＢにおいて、アクセス技術、周波数、送信モードまたは受信モードに基づいて決定される第１パラメータに設定された後に、信号品質、送信モードおよび受信モードに基づいて決定される第２パラメータによって調整される。しかし、図中×で示すように、第１パラメータと第２パラメータとの間の差分が大きく、第１パラメータを設定したときの信号品質が悪い場合、基地局との接続が切断されてしまうことがある。
【０００６】
本発明は上記課題に鑑みてなされたものであり、可変整合部を備えた無線回路において、使用周波数帯が切り替わったときに通信が切断されることを抑制するための技術を提供することを主たる目的とする。
【課題を解決するための手段】
【０００７】
上記の課題を解決するために、本発明の一態様に係る無線回路は、アンテナに接続される無線回路であって、設定値に応じてアンテナと該無線回路との間のインピーダンスを変化させる可変整合部と、通信状態に応じて該可変整合部の設定値を調整する整合調整手段と、該無線回路の使用周波数帯を切り替える切替手段と、を備えており、該切替手段は、該無線回路の使用周波数帯を切り替えるとき、切替前に該整合調整手段によって調整された該可変整合部の第一の設定値に応じて、切替後における該可変整合部の設定値を設定するようになっていることを特徴としている。
【０００８】
本発明の一態様に係る無線回路では、上記切替手段は、テーブル情報を予め記憶しており、上記無線回路の使用周波数帯を第一の周波数帯から第二の周波数帯に切り替えるとき、該テーブル情報を参照して、上記第一の設定値から第二の設定値を取得し、上記可変整合部の設定値を、取得した該第二の設定値に設定するようになっており、該テーブル情報は、上記第一の周波数帯と、上記第二の周波数帯と、上記第一の設定値とが与えられたときに、該第二の設定値が定まるように構成されているものであってもよい。
【０００９】
本発明の一態様に係る無線回路において、上記テーブル情報では、上記第一の周波数帯に関連づけられた上記第一の設定値に対して、上記第二の周波数帯に関連づけられた上記第二の設定値が対応付けられていてもよい。
【００１０】
本発明の一態様に係る無線回路において、上記テーブル情報では、上記第一の周波数帯に関連づけられた、上記第一の設定値を含む予め定められた範囲に対して、上記第二の周波数帯に関連づけられた上記第二の設定値が対応付けられていてもよい。
【００１１】
本発明の一態様に係る無線回路では、上記整合調整手段は、上記無線回路の使用周波数帯毎に予め定められた複数の候補値の何れかに、上記可変整合部の設定値を調整するようになっているものであってもよい。
【００１２】
本発明の一態様に係る無線回路では、上記整合調整手段は、上記可変整合部の設定値を任意の値に調整するようになっているものであってもよい。
【００１３】
本発明の一態様に係る無線回路は、送信信号の品質を検出する品質検出手段を備え、上記整合調整手段は、該品質検出手段の検出結果に応じて上記可変整合部の設定値を調整するようになっているものであってもよい。
【００１４】
本発明の一態様に係る無線装置は、本発明の一態様に係る無線回路を備えていることを特徴としている。
【００１５】
また、本発明の一態様に係る無線回路の制御方法は、設定値に応じてアンテナと無線回路との間のインピーダンスを変化させる可変整合部を備えた該無線回路の制御方法であって、通信状態に応じて該可変整合部の設定値を調整する整合調整工程と、該アンテナの使用周波数帯を切り替える切替工程と、を備えており、該切替工程では、切替前に該整合調整工程において調整された該可変整合部の第一の設定値に応じて、切替後における該可変整合部の設定値を設定するようになっていることを特徴としている。
【発明の効果】
【００１６】
本発明の一態様によれば、切替前に通信状態に応じて調整された可変整合部の第一の設定値に応じて、切替後における可変整合部の設定値を設定するようになっているため、切替直後から、通信環境を考慮した設定値に設定することができる。これにより、使用周波数帯が切り替わったときに通信が切断されることを抑制することができるという効果を奏する。
【図面の簡単な説明】
【００１７】
【図１】本発明の一実施形態に係る無線回路の概略構成を示すブロック図である。
【図２】本発明の一実施形態における無線回路の動作の一例を説明するフローチャートである。
【図３】本発明の一実施形態における周波数帯の切替時に用いるテーブル情報の一例を示す図である。
【図４】図３のテーブル情報を用いた設定値の設定の一例について説明する図である。
【図５】本発明の一実施形態における周波数帯の切替時に用いるテーブル情報の他の例を示す図である。
【図６】図５のテーブル情報を用いた設定値の設定の一例について説明する図である。
【図７】従来技術における周波数帯の切替時の設定値の設定の一例について説明する図である。
【発明を実施するための形態】
【００１８】
本発明の一実施形態について図面を参照して説明すれば以下のとおりである。なお、本実施形態に係る無線回路は、複数の周波数帯を切り替えて利用して基地局との間で無線通信を行なう移動体無線端末に組み込まれた無線回路として実現されている。
【００１９】
ただし、本発明に係る無線回路は、複数の周波数帯を切り替えて利用可能なものであれば、移動体無線端末に限らず、何らかの信号が重畳された搬送波を、アンテナを用いて受信および／または送信する無線装置一般に適用することができる。
【００２０】
（無線回路）
図１は、本実施形態に係る無線回路１の概略構成を示すブロック図である。図１に示すように、無線回路１は、アンテナ１０に接続され、インピーダンス可変整合部（可変整合部、整合調整手段）２０、スイッチ部３０、デュプレクサ部３１、３３、増幅器３２、３４、無線信号処理部４０および制御部（切り替え手段）５０を備えている。
【００２１】
本実施形態において、無線回路１は、無線信号の送受信のために二つのバンド（周波数帯）、すなわち、バンドＡ（第一の周波数帯）およびバンドＢ（第二の周波数帯）を切り替えて利用可能なように構成されている。例えば、これに限定されるものではないが、一例として、ＷＣＤＭＡの２ＧＨｚ帯および８００ＭＨｚ帯がバンドＡおよびバンドＢの例として挙げられる。なお、本発明はこれに限定されず、三つ以上のバンドを利用可能なように構成されていてもよい。
【００２２】
バンドＡを使用バンド（使用周波数帯）とする場合、無線信号処理部４０から出力された送信信号は増幅器３２によって増幅された後、デュプレクサ部３１を介して、アンテナ１０から送信される。アンテナ１０で受信した受信信号は、同じくデュプレクサ部３１を介して無線信号処理部４０に入力され、処理される。なお、スイッチ部３０は、デュプレクサ部３１とアンテナ１０とを接続するように制御部５０によって制御されている。
【００２３】
また、バンドＢを使用バンドとする場合、無線信号処理部４０から出力された送信信号は増幅器３４によって増幅された後、デュプレクサ部３３を介して、アンテナ１０から送信される。アンテナ１０で受信した受信信号は、同じくデュプレクサ部３３を介して無線信号処理部４０に入力され、処理される。なお、スイッチ部３０は、デュプレクサ部３３とアンテナ１０とを接続するように制御部５０によって制御されている。
【００２４】
使用バンドの切替は、制御部５０によってなされる。制御部５０は、例えば、ハンドオーバ時において、ハンドオーバ先のバンドが、ハンドオーバ元のバンドと異なる場合などに、使用バンドの切り替え処理を実行する。制御部５０は、また、後述するテーブルを記憶する記憶部５５を備えている。
【００２５】
また、インピーダンス可変整合部２０は、アンテナ１０に接続されており、インピーダンス可変整合部２０において設定されたパラメータ（設定値）に応じてアンテナ１０と無線回路１との間のインピーダンスを変化させるようになっている。インピーダンス可変整合部２０は、例えば、公知の可変整合素子を備えていてもよい。なお、一実施形態において、インピーダンス可変整合部２０は、予め定められた複数の候補値の何れかに、インピーダンス可変整合部２０のパラメータを設定するものであり得る。これにより、インピーダンス可変整合部２０は、パラメータを迅速に設定することができる。また、他の実施形態において、インピーダンス可変整合部２０は、任意の値に、インピーダンス可変整合部２０のパラメータを設定するものであり得る。これにより、インピーダンス可変整合部２０は、パラメータをより適切な値に設定することができる。
【００２６】
インピーダンス可変整合部２０は、また、通信状況に応じてインピーダンス可変整合部２０における上記パラメータを調整する整合調整手段としての機能も有する。例えば、インピーダンス可変整合部２０は、無線回路１の送信信号をモニタし、送信信号の品質を検出する図示しない品質検出部（品質検出手段）を備えており、送信信号の品質が最も良くなるようにパラメータを調整するようになっている。送信信号の品質としては、例えば、送信電力、ひずみ特性、ＥＶＭ（Ｅｒｒｏｒ  Ｖｅｃｔｏｒ  Ｍａｇｎｉｔｕｄｅ）等が挙げられる。なお、受信信号については、アンテナ負荷変動以外の無線伝搬環境等による品質等の変化が大きいため、品質測定において、平均値を算出する時間窓を長くとることによって無線伝搬路環境の影響を少なくして利用してもよい。また、上記の整合調整手段としての機能は、インピーダンス可変整合部２０ではなく、制御部５０が備えていてもよい。
【００２７】
（バンド切り替え時の動作）
次に、無線回路１のバンド（使用周波数帯）の切り替え時における動作を、図２のフローチャートを参照して説明する。ここでは、例として、バンドＡからバンドＢに切り替えるときの動作を説明するが、本実施形態に係る無線回路１が、バンドＢからバンドＡに切り替えることも可能であることは言うまでもない。
【００２８】
まず、バンドの切り替えが開始されると（ステップＳ０）、制御部５０は、上述した整合調整手段によって調整されたインピーダンス可変整合部２０のパラメータ（第一の設定値）を取得する。そして、取得したパラメータ、切り替え元のバンド情報および切り替え先のバンド情報を用い、記憶部５５に予め記憶されているテーブル（テーブル情報）を参照することによって、バンド切り替え先において設定すべきパラメータ（第二の設定値）を取得する（ステップＳ１）。
【００２９】
続いて、制御部５０は、インピーダンス可変整合部２０のパラメータを、ステップＳ１において取得したパラメータに設定した後（ステップＳ２）、スイッチ部３０および無線信号処理部４０を制御して、バンドＢでの送受信動作を開始させる（ステップＳ３）。
【００３０】
このように、本実施形態では、バンドの切替前に、整合調整手段によって通信状態に応じて調整されたインピーダンス可変整合部２０のパラメータに応じて、切替後におけるインピーダンス可変整合部２０のパラメータを設定するようになっているため、切替直後から、通信環境を考慮した設定値に設定することができる。これにより、バンドが切り替わったときに通信が切断されることを抑制することができる。
【００３１】
（テーブルの例１）
続いて、制御部５０が参照するテーブルの例について詳細に説明する。図３は、本実施形態におけるバンドの切替時に用いるテーブルの一例を示す図である。図３に示すように、本テーブルでは、パラメータＡ１、Ａ２、Ａ３が、バンドＡに関連づけられており、パラメータＢ１、Ｂ２、Ｂ３が、バンドＢに関連づけられており、パラメータＡ１に対してＢ１が、パラメータＡ２に対してＢ２が、パラメータＡ３に対してＢ３が、それぞれ対応付けられている。また、本テーブルを使用する場合には、整合調整手段は、インピーダンス可変整合部２０のパラメータを、予め定められた複数の値から選択するようになっていることが好ましい（例えば、バンドＡにおいて、Ａ１、Ａ２およびＡ３から選択する）。
【００３２】
そして、制御部５０は、例えば、バンドＡからバンドＢへの切り替え時において、切替前におけるインピーダンス可変整合部２０のパラメータ（第一の整合値）が、パラメータＡ１であったならば、本テーブルにおいて、バンドＡに関連づけられたパラメータＡ１に対応するバンドＢに関連づけられたパラメータＢ１を、切替後に設定すべきパラメータ（第二のパラメータ）として取得する。切替前におけるインピーダンス可変整合部２０のパラメータが、パラメータＡ２、Ａ３であった場合も同様である。すなわち、制御部５０は、本テーブルにおいて、バンドＡに関連づけられたパラメータから、切替前におけるインピーダンス可変整合部２０のパラメータを検索し、検索の結果得られたパラメータに対応付けられ、かつ、バンドＢに関連づけられたパラメータを、切替後に設定すべきパラメータとして取得する。これにより、制御部５０は、例えば、ハンドオーバ時等に、図４に示すように、インピーダンス可変整合部２０のパラメータを変更することができる。
【００３３】
ここで、本テーブルは、例えば、次のように構成することが好ましい。すなわち、図３に示すように、端末外部環境をいくつか予め想定し、それに対応するバンドＡおよびバンドＢにおける最適パラメータを予め算出し、バンドＡにおける最適パラメータにバンドＢにおける最適パラメータを対応付けて本テーブルに収めることが好ましい。端末外部環境としては、例えば、端末（無線装置）を手で握った状態、端末を用いて通話中（端末を頭につけている）状態、端末を机上に置いた状態、端末を充電台に置いた状態等が挙げられる。これらの外部環境におけるバンドＡおよびバンドＢにおける最適パラメータを予め算出し、バンドＡの最適パラメータとバンドＢの最適パラメータとを対応付けておくことにより、動作中には、外部環境を判定することなく、バンドＡにおいて調整されたパラメータを参照するだけで、バンドＢにおける最適なパラメータに変更することができる。
【００３４】
（テーブルの例２）
さらに、制御部５０が参照するテーブルの他の例について詳細に説明する。図５は、本実施形態におけるバンドの切替時に用いるテーブルの他の例を示す図である。図５に示すように、本テーブルでは、パラメータ領域Ａ１、Ａ２、Ａ３が、バンドＡに関連づけられており、パラメータＢ１、Ｂ２、Ｂ３が、バンドＢに関連づけられており、パラメータ領域Ａ１に対してパラメータＢ１が、パラメータ領域Ａ２に対してパラメータＢ２が、パラメータ領域Ａ３に対してパラメータＢ３が、それぞれ対応付けられている。また、本テーブルを使用する場合には、整合調整手段は、インピーダンス可変整合部２０のパラメータを、予め定められた複数の値から選択するようになっていてもよいが、インピーダンス可変整合部２０のパラメータを、任意の値に設定するようになっていることが好ましい。
【００３５】
そして、制御部５０は、例えば、バンドＡからバンドＢへの切り替え時において、切替前におけるインピーダンス可変整合部２０のパラメータ（第一の整合値）が、パラメータ領域Ａ１に含まれる値であったならば、本テーブルにおいて、バンドＡに関連づけられたパラメータ領域Ａ１に対応するバンドＢに関連づけられたパラメータＢ１を、切替後に設定すべきパラメータ（第二のパラメータ）として取得する。切替前におけるインピーダンス可変整合部２０のパラメータが、パラメータ領域Ａ２、Ａ３に含まれるものであった場合も同様である。すなわち、制御部５０は、本テーブルにおいて、バンドＡに関連づけられたパラメータ領域から、切替前におけるインピーダンス可変整合部２０のパラメータが含まれる領域を検索し、検索の結果得られた領域に対応付けられ、かつ、バンドＢに関連づけられたパラメータを、切替後に設定すべきパラメータとして取得する。これにより、制御部５０は、例えば、ハンドオーバ時等に、図６に示すように、インピーダンス可変整合部２０のパラメータを変更することができる。
【００３６】
ここで、本テーブルは、例えば、次のように構成することが好ましい。すなわち、図５に示すように、端末外部環境をいくつか予め想定し、それに対応するバンドＡおよびバンドＢにおける最適パラメータを予め算出した上で、各最適パラメータがそれぞれ含まれるように、バンドＡにおけるパラメータ領域を分割し、バンドＡにおける各パラメータ領域に、バンドＢにおける最適パラメータを対応付けて、本テーブルに収めることが好ましい。端末外部環境としては、例えば、端末（無線装置）を手で握った状態、端末を用いて通話中（端末を頭につけている）状態、端末を机上に置いた状態、端末を充電台に置いた状態等が挙げられる。これらの外部環境におけるバンドＡおよびバンドＢにおける最適パラメータを予め算出し、バンドＡの最適パラメータが含まれるパラメータ領域とバンドＢの最適パラメータとを対応付けておくことにより、動作中には、外部環境を判定することなく、バンドＡにおいて調整されたパラメータを参照するだけで、バンドＢにおける最適なパラメータに変更することができる。なお、バンドＡにおける各パラメータ領域は、各外部環境に対応する最適パラメータを含むように分割されていればよいが、例えば、切替後の送信品質が良好になるように実験的に調整されていることが好ましい。
【００３７】
〔まとめ〕
本発明の一態様に係る無線回路は、アンテナに接続される無線回路であって、設定値（パラメータ）に応じて該アンテナと該無線回路との間のインピーダンスを変化させる可変整合部（インピーダンス可変整合部２０）と、通信状態に応じて該可変整合部の設定値を調整する整合調整手段（インピーダンス可変整合部２０）と、該無線回路の使用周波数帯（バンド）を切り替える切替手段（制御部５０）と、を備えており、該切替手段は、該無線回路の使用周波数帯を切り替えるとき、切替前に該整合調整手段によって調整された該可変整合部の第一の設定値に応じて、切替後における該可変整合部の設定値を設定するようになっている。
【００３８】
上記の構成によれば、切替前に通信状態に応じて調整された可変整合部の第一の設定値に応じて、切替後における可変整合部の設定値を設定するようになっているため、切替直後から、通信環境を考慮した設定値に設定することができる。これにより、使用周波数帯が切り替わったときに通信が切断されることを抑制することができるという効果を奏する。
【００３９】
本発明の一態様に係る無線回路では、上記切替手段は、テーブル情報（テーブル）を予め記憶しており、上記無線回路の使用周波数帯を第一の周波数帯から第二の周波数帯に切り替えるとき、該テーブル情報を参照して、上記第一の設定値から第二の設定値を取得し、上記可変整合部の設定値を、取得した該第二の設定値に設定するようになっており、該テーブル情報は、上記第一の周波数帯と、上記第二の周波数帯と、上記第一の設定値とが与えられたときに、該第二の設定値が定まるように構成されていてもよい。
【００４０】
上記の構成によれば、切替手段は、第一の周波数帯と、第二の周波数帯と、第一の設定値とが与えられたときに、第二の設定値が定まるように構成されているテーブル情報を参照することにより、切替後に設定すべき可変整合部の設定値である第二の設定値を好適に取得することができる。
【００４１】
本発明の一態様に係る無線回路において、上記テーブル情報では、上記第一の周波数帯に関連づけられた上記第一の設定値に対して、上記第二の周波数帯に関連づけられた上記第二の設定値が対応付けられていてもよい。
【００４２】
上記の構成によれば、テーブル情報において、第一の設定値と、第二の設定値とが対応付けられているため、第一の周波数帯と、第二の周波数帯と、第一の設定値とが与えられたときに、第二の設定値が首尾よく定まる。
【００４３】
本発明の一態様に係る無線回路において、上記テーブル情報では、上記第一の周波数帯に関連づけられた、上記第一の設定値を含む予め定められた範囲に対して、上記第二の周波数帯に関連づけられた上記第二の設定値が対応付けられていてもよい。
【００４４】
上記の構成によれば、テーブル情報において、第一の設定値を含む予め定められた範囲と、第二の設定値とが対応付けられているため、第一の周波数帯と、第二の周波数帯と、第一の設定値とが与えられたときに、第二の設定値が首尾よく定まる。
【００４５】
本発明の一態様に係る無線回路において、上記整合調整手段は、上記無線回路の使用周波数帯毎に予め定められた複数の候補値の何れかに、上記可変整合部の設定値を調整するようになっていてもよい。
【００４６】
上記の構成によれば、可変整合部の設定値を迅速に調整することができる。
【００４７】
本発明の一態様に係る無線回路において、上記整合調整手段は、上記可変整合部の設定値を任意の値に調整するようになっていてもよい。
【００４８】
上記の構成によれば、可変整合部の設定値をより適切に調整することができる。
【００４９】
本発明の一態様に係る無線回路は、送信信号の品質を検出する品質検出手段を備え、上記整合調整手段は、該品質検出手段の検出結果に応じて上記可変整合部の設定値を調整するようになっていてもよい。
【００５０】
上記の構成によれば、整合調整手段は、可変整合部の設定値を送信信号の品質が向上するように調整することができる。
【００５１】
本発明の一態様に係る無線装置は、本発明の一態様に係る無線回路を備えている。
【００５２】
上記の構成によれば、使用周波数帯が切り替わったときに通信が切断されることを抑制することができる無線装置を提供することができる。
【００５３】
本発明の一態様に係る無線回路の制御方法は、設定値に応じてアンテナと該無線回路との間のインピーダンスを変化させる可変整合部を備えた該無線回路の制御方法であって、通信状態に応じて該可変整合部の設定値を調整する整合調整工程と、該無線回路の使用周波数帯を切り替える切替工程と、を備えており、該切替工程では、切替前に該整合調整工程において調整された該可変整合部の第一の設定値に応じて、切替後における該可変整合部の設定値を設定するようになっている。
【００５４】
上記の方法によれば、本発明の一態様に係る無線回路と同等の効果を奏する。
【００５５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００５６】
〔ソフトウェアによる実現例〕
最後に、無線回路１の各ブロック、特に制御部５０および整合調整手段としてのインピーダンス可変整合部２０は、集積回路（ＩＣチップ）上に形成された論理回路によってハードウェア的に実現してもよいし、ＣＰＵ（Central Processing Unit）を用いてソフトウェア的に実現してもよい。
【００５７】
後者の場合、無線回路１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである無線回路１の制御プログラムのプログラムコード（実行形式プログラム、中間コードプログラム、ソースプログラム）をコンピュータで読み取り可能に記録した記録媒体を、上記無線回路１に供給し、そのコンピュータ（またはＣＰＵやＭＰＵ）が記録媒体に記録されているプログラムコードを読み出し実行することによっても、達成可能である。
【００５８】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【００５９】
また、無線回路１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００６０】
本発明は、無線装置の製造分野において利用することができる。
【符号の説明】
【００６１】
１  無線回路
１０  アンテナ
２０  インピーダンス可変整合部（可変整合部、整合調整手段）
３０  スイッチ部
３１、３３  デュプレクサ部
３２、３４  増幅器
４０  無線信号処理部
５０  制御部（切替手段）
５５  記憶部
【図１】
2014064148.tif 000003
【図２】
2014064148.tif 000004
【図３】
2014064148.tif 000005
【図４】
2014064148.tif 000006
【図５】
2014064148.tif 000007
【図６】
2014064148.tif 000008
【図７】
2014064148.tif 000009